(57)【要約】
【課題】  位置決め及び組立が容易で、溶接作業の手間を省くことができ、内部空間を有効に利用できる組立ラックの提供。
【解決手段】  前後左右の隅部に立設した伸縮管１０は、一端部に固定具１２１を有する外管１２と、その一端部に摺動可能に挿入した内管１１から成り、前後の外管１２を網板２０で連結し、内管１１及び外管１２に貫通孔１１２，１２２を適宜間隔毎に形成し、左右の伸縮管１０間に横棒３０を掛け渡して、貫通孔１１２，１２２に挿通したネジ１３を横棒３０の端部に螺合し、棚板４０の前後辺に形成した係止曲縁４１を前後の横棒３０に係合して、棚板４０を伸縮管１０間に架設する。
【選択図】          図２
0003101317.tif 000002
【実用新案登録請求の範囲】
【請求項１】
前後左右の隅部に立設した伸縮管と、これら伸縮管間に架設した複数の棚板とを備え、前記伸縮管は、外管と、該外管の一端部に摺動可能に挿入された内管とから成り、前記外管の一端部に前記内管を固定する係脱可能な固定具を設け、前後に配置された外管どうしを網板で連結し、前記内管及び外管に複数の貫通孔を適宜間隔毎に形成し、左右に配置された伸縮管間に横棒を掛け渡すと共に、前記貫通孔に挿通したネジの先端部を前記横棒の端部に螺合して、前記横棒を任意の高さに、且つ、前後の同じ高さに対応するように配置し、前記棚板の前後辺を下方に湾曲して係止曲縁を形成し、前後の係止曲縁をそれぞれ前後に対応した横棒に係合して、前記棚板を前記伸縮管間に架設したことを特徴とする組立ラック。
【請求項２】
前記伸縮管は、前記外管の他端に他の外管の他端を接続して、上下に内管を設けて成る請求項１に記載の組立ラック。
【請求項３】
前記内管の前記外管から露出した端部に、支持面に当接する支持部を装着した請求項１又は２に記載の組立ラック。
【考案の詳細な説明】
【技術分野】
【０００１】
本考案は、高さを変えることができる組立ラックに関する。
【背景技術】
【０００２】
図４に示すように、前後左右にそれぞれ立設された伸縮管６０と、これら伸縮管６０に架設された棚板９０とを備えた組立ラックが知られている。
伸縮管６０は、外管６２と、外管６２に摺動可能に嵌合された内管６１とから成り、内管６１を摺動して固定具６３で固定することにより、伸縮管６０の長さを調節することができる。
また、前後に配置された外管６２は網板７０で連結され、各外管６２の外面には、多数の貫通孔６４１を有するフランジ６４が、軸方向に沿って溶接されている。
そして、左右に配置された外管６２間に横棒８０を架設すると共に、貫通孔６４１に挿通したネジ６５を横棒８０の端部に螺合して、横棒８０を適宜高さに設置し、前後の横棒８０間に棚板９０を架設するようになっている。
【０００３】
上記従来の組立ラックは、組立が簡単で、棚板９０の高さも変えることができるが、フランジ６４が装着されている高さにしか棚板９０を設置することができないので、組立ラック内部の空間が無駄になり、空間の有効利用という点では経済的でない。
また、フランジ６４を外管６２に溶接してあるが、断面円形の外管６２に対するフランジ６４の位置合わせが難しく、フランジ６４が曲がっていると、棚板９０が傾いて不良品となってしまう。
さらに、溶接作業は面倒であるばかりか、溶接時の温度によって外管６２が変形する虞もある。
【考案の開示】
【考案が解決しようとする課題】
【０００４】
本考案が解決しようとする課題は、位置決め及び組立が容易で、溶接作業の手間を省くことができ、内部空間を有効に利用できる組立ラックを提供することにある。
【課題を解決するための手段】
【０００５】
本考案の組立ラックは、前後左右の隅部に立設した伸縮管と、これら伸縮管間に架設した複数の棚板とを備え、前記伸縮管は、外管と、該外管の一端部に摺動可能に挿入された内管とから成り、前記外管の一端部に前記内管を固定する係脱可能な固定具を設け、前後に配置された外管どうしを網板で連結し、前記内管及び外管に複数の貫通孔を適宜間隔毎に形成し、左右に配置された伸縮管間に横棒を掛け渡すと共に、前記貫通孔に挿通したネジの先端部を前記横棒の端部に螺合して、前記横棒を任意の高さに、且つ、前後の同じ高さに対応するように配置し、前記棚板の前後辺を下方に湾曲して係止曲縁を形成し、前後の係止曲縁をそれぞれ前後に対応した横棒に係合して、前記棚板を前記伸縮管間に架設してある。
前記伸縮管は、外管の他端に他の外管の他端を接続して、上下に内管を設けて成ることもある。
内管の外管から露出した端部に、支持面に当接する支持部を装着しても良い。
【考案の効果】
【０００６】
本考案によれば、伸縮管を構成する内管及び外管に、横棒を取りつけるための貫通孔を形成したので、棚板を内管及び外管のいずれの高さにも配置して、物品を収納することができ、これにより、空間を有効に利用することができ、しかも、ネジと固定具のみによって簡単に、且つ、迅速に組み立てることが可能である。
また、貫通孔を内管及び外管に直接形成したため、フランジを固定するための溶接作業が不要となって、製造工程が簡易化されると共に、不良品の発生を低く抑えることができる。
【考案を実施するための最良の形態】
【０００７】
以下、本考案の実施例を図面に基づいて詳細に説明する。
本考案の組立ラックは、図１に示すように、前後左右の隅部にそれぞれ立設した伸縮管１０と、これら伸縮管１０間に架設した複数の棚板４０とを備える。
伸縮管１０は、図２に示すように、一端面に径大の支持部１１１を装着した内管１１と、一端に締め付けボルト等を有する固定具１２１を設けた外管１２とから成る。
内管１１の他端部は外管１２の一端部に摺動可能に挿入され、挿入深さを適宜調整して、固定具１２１により係脱可能に固定されるようになっている。
【０００８】
前後に配置された外管１２どうしは、網板２０により連結してある。
また、内管１１及び外管１２には、軸線が左右方向に沿う貫通孔１１２，１２２をそれぞれ適宜間隔毎に形成する。
そして、図３に示すように、貫通孔１１２，１２２の外方からネジ１３を挿通し、ネジ１３の先端部を左右の伸縮管１０間に架設した横棒３０の両端に螺合して、横棒３０を適宜高さに取りつけることができる。なお、横棒３０は、前後の同じ高さに対応するように配置する。
図２に示すように、棚板４０の前後辺には、それぞれ下方に向けて湾曲した係止曲縁４１を形成し、前後の係止曲縁４１を前後の横棒３０に係合することにより、棚板４０を架設するようになっている。
【０００９】
なお、各伸縮管１０は、１本の内管６１と１本の外管１２とで構成しても良いが、図１に示すように、外管１２の他端に他の外管１２の他端を接続して、上下部にそれぞれ内管６１を設けても良い。
組立に際しては、内管１１の支持部１１１が天井、床等の支持面に当接して支持されるように摺動し、固定具１２１で固定することによって伸縮管１０の長さを調節する。
そして、前後左右に立設した伸縮管１０の適宜高さに横棒３０を配置し、内管１１の貫通孔１１２或いは外管１２の貫通孔１２２に挿通したネジ１３を横棒３０の端部に螺合して、横棒３０を前後に対応して配置されるよう取りつける。次いで、棚板４０の係止曲縁４１を前後の横棒３０に係合して、棚板４０を架設する。
【００１０】
横棒３０の高さ及び本数を変えることにより、棚板４０の位置及び数を任意に選択することができ、外管１２の高さにも内管１１の高さにも物品を収納することができる。
また、横棒３０を内管１１及び外管１２に直接取りつけることができるので、溶接作業が不要となる。
【図面の簡単な説明】
【００１１】
【図１】本考案の実施例を示す組立ラックの斜視図。
【図２】本考案の実施例を示す組立ラックの要部分解斜視図。
【図３】本考案の実施例を示す組立ラックの要部断面図。
【図４】従来の組立ラックの要部分解斜視図。
【符号の説明】
【００１２】
１０  伸縮管
１１  内管
１１１  支持部
１１２  貫通孔
１２  外管
１２１  固定具
１２２  貫通孔
１３  ネジ
２０  網板
３０  横棒
４０  棚板
４１  係止曲縁
【図１】
0003101317.tif 000003
【図２】
0003101317.tif 000004
【図３】
0003101317.tif 000005
【図４】
0003101317.tif 000006